(57)【要約】【課題】水平読出期間に周期的なノイズが発生したとしても、画像ノイズが生じることを抑制する。【解決手段】固体撮像装置は、水平読出期間に複数の列信号線を列順に選択することにより、画素信号を列順に読み出す。また固体撮像装置は、水平読出期間に含まれる、画素信号の品質に影響を及ぼすノイズの発生が予測されているノイズ発生予測期間に、複数の列信号線を列順に選択することを待機させることにより、画素信号の列順の読み出しを待機させる。この例では４番目及び５番目の画素周期がノイズ発生予測期間である。４列目以降の画素信号の読み出しはノイズ発生予測期間が経過するまで待機されている。【選択図】図２
2008288688.tif 000002
【特許請求の範囲】
【請求項１】
複数の列信号線のうち、選択された列信号線を通じて画素信号を読み出す固体撮像装置であって、
水平読出期間に前記複数の列信号線を列順に選択する列選択手段と、
前記水平読出期間に含まれる、画素信号の品質に影響を及ぼすノイズの発生が予測されているノイズ発生予測期間に、前記列選択手段に前記複数の列信号線を列順に選択することを待機させる選択待機手段と
を備えることを特徴とする固体撮像装置。
【請求項２】
前記列選択手段は、順方向及び逆方向にシフト可能なシフトレジスタを、クロックパルスに同期して順方向にシフトさせることにより前記複数の列信号線を列順に選択し、
前記選択待機手段は、前記ノイズ発生予測期間の半分の期間に前記シフトレジスタを前記クロックパルスに同期して逆方向にシフトさせ、前記ノイズ発生予測期間の残りの半分の期間に前記シフトレジスタを前記クロックパルスに同期して順方向にシフトさせることにより、前記ノイズ発生予測期間に前記複数の列信号線を列順に選択することを待機させること
を特徴とする請求項１に記載の固体撮像装置。
【請求項３】
前記列選択手段は、順方向シフト及びシフト停止可能なシフトレジスタを、クロックパルスに同期して順方向にシフトさせることにより前記複数の列信号線を列順に選択し、
前記選択待機手段は、前記ノイズ発生予測期間にクロックパルスに同期して前記シフトレジスタにシフト停止させることにより、前記ノイズ発生予測期間に前記複数の列信号線を列順に選択することを待機させること
を特徴とする請求項１に記載の固体撮像装置。
【請求項４】
前記複数の列信号線は、前記シフトレジスタから選択信号が伝達されることにより選択され、
前記固体撮像装置は、さらに、前記ノイズ発生予測期間に前記複数の列信号線のいずれもが選択されないように前記シフトレジスタから選択信号が伝達されることを禁止する選択禁止手段を備えること
を特徴とする請求項２又は３に記載の固体撮像装置。
【請求項５】
水平読出期間に複数の列信号線を列順に選択していく列選択手段と、
前記水平読出期間に含まれる、画素信号の品質に影響を及ぼすノイズの発生が予測されているノイズ発生予測期間に、前記列選択手段に前記複数の列信号線を列順に選択することを待機させる選択待機手段と、
前記列選択手段により選択された列信号線から読み出された画素信号のうち、前記ノイズ発生予測期間に読み出された画素信号を破棄する破棄手段と
を備えることを特徴とするカメラ。
【発明の詳細な説明】
【技術分野】
【０００１】
本発明は、デジタルカメラ等に用いられる固体撮像装置に関し、特に、MOS型の固体撮像装置において画像ノイズを抑制する技術に関する。
【背景技術】
【０００２】
一般にMOS型の固体撮像装置は、水平ブランキング期間に第Ｎ行の画素の画素信号を信号処理部に並列に検出させ、水平読出期間に、検出された第Ｎ行の画素の画素信号を外部に順次読み出させる。水平ブランキング期間における画素の駆動及び信号処理部の駆動は、各行に配された行信号線を通じて駆動パルスを供給することにより行われる。水平読出期間における読み出しは、各列に配された列信号線のうち列選択デコーダにより選択された列信号線を通じて行われる。列選択デコーダは、シフトレジスタにより構成されており、水平読出期間に各列の列信号線を列順に順次選択していく。
【０００３】
固体撮像装置は、第Ｎ行に関する上記動作が完了すれば、引き続き第Ｎ＋１行に関して同様の動作を実行することにより、最終的に１フレーム分の画素の画素信号を読み出させることができる（例えば、特許文献１参照）。
【特許文献１】特開平1-122277号公報（特願昭62-279390）
【発明の開示】
【発明が解決しようとする課題】
【０００４】
近年、固体撮像装置は一般的なデジタルカメラだけでなく車載カメラや監視カメラなど種々の用途に適用されてきており、それに伴い、超高速シャッタや超高速読み出しなど、従来にはない仕様が要求されるようになってきている。発明者らがこのような傾向のもとで商品開発を進めたところ、仕様によっては水平読出期間に周期的なノイズが発生し、その結果、以下のような画像ノイズが生じることが判明した。
【０００５】
図２０は、画像ノイズ及びその発生原因を説明する図である。
ここでは周期的なノイズの原因として電子シャッタパルスを例示している。電子シャッタパルスは、行信号線を通じて供給される駆動パルスのひとつである。従来、電子シャッタパルスは水平ブランキング期間(HBLK)に供給されているが、この例では超高速シャッタや露光時間のきめ細かな調整を実現するため、水平読出期間中の所定時期に供給されている。このように水平読出期間に電子シャッタパルスが供給されると、電子シャッタパルスに起因するノイズが回路的な結合を通じて画素信号に混入する。このノイズは水平読出期間の所定時期が到来するたびに繰り返し発生するため、撮像画面には縦線状あるいは縦帯状の画像ノイズ７１として顕著に現れる。
【０００６】
なお、電子シャッタパルスは周期的なノイズの原因の一例であり、仕様に応じて種々のパルスが周期的なノイズの原因になり得る。
本発明は、上記課題に鑑み、水平読出期間に周期的なノイズが発生したとしても、撮像画面に画像ノイズが現れることを抑制することができる固体撮像装置及びカメラを提供することを目的とする。
【課題を解決するための手段】
【０００７】
本発明に係る固体撮像装置は、複数の列信号線のうち、選択された列信号線を通じて画素信号を読み出す固体撮像装置であって、水平読出期間に前記複数の列信号線を列順に選択する列選択手段と、前記水平読出期間に含まれる、画素信号の品質に影響を及ぼすノイズの発生が予測されているノイズ発生予測期間に、前記列選択手段に前記複数の列信号線を列順に選択することを待機させる選択待機手段とを備える。
【０００８】
本発明に係るカメラは、水平読出期間に複数の列信号線を列順に選択していく列選択手段と、前記水平読出期間に含まれる、画素信号の品質に影響を及ぼすノイズの発生が予測されているノイズ発生予測期間に、前記列選択手段に前記複数の列信号線を列順に選択することを待機させる選択待機手段と、前記列選択手段により選択された列信号線から読み出された画素信号のうち、前記ノイズ発生予測期間に読み出された画素信号を破棄する破棄手段とを備える。
【０００９】
ここで「列順に」とは、各列に列番号が付されているとすれば「列番号の順番に」を意味するものとする。
【発明の効果】
【００１０】
上記構成によれば、水平読出期間のうちノイズ発生予測期間以外の期間に、画素信号の列順の読み出しが実施される。したがって撮像画面に画像ノイズが現れることを抑制することができる。またノイズ発生予測期間に読み出された画素信号を破棄することにより、撮像画面に縦線状あるいは縦帯状の画像ノイズが生じることを抑制することができる。
また、前記列選択手段は、順方向及び逆方向にシフト可能なシフトレジスタを、クロックパルスに同期して順方向にシフトさせることにより前記複数の列信号線を列順に選択し、前記選択待機手段は、前記ノイズ発生予測期間の半分の期間に前記シフトレジスタを前記クロックパルスに同期して逆方向にシフトさせ、前記ノイズ発生予測期間の残りの半分の期間に前記シフトレジスタを前記クロックパルスに同期して順方向にシフトさせることにより、前記ノイズ発生予測期間に前記複数の列信号線を列順に選択することを待機させることとしてもよい。
【００１１】
また、前記列選択手段は、順方向シフト及びシフト停止可能なシフトレジスタを、クロックパルスに同期して順方向にシフトさせることにより前記複数の列信号線を列順に選択し、前記選択待機手段は、前記ノイズ発生予測期間にクロックパルスに同期して前記シフトレジスタにシフト停止させることにより、前記ノイズ発生予測期間に前記複数の列信号線を列順に選択することを待機させることとしてもよい。
【００１２】
これらの構成により、ノイズ発生予測期間にシフトレジスタを駆動させたまま画素信号の列順の読み出しを待機させることができる。読み出しの待機は、シフトレジスタの駆動をノイズ発生予測期間に停止させノイズ発生予測期間経過後に再開させることによっても実施可能である。しかしながら、シフトレジスタの駆動を停止して再開する場合、急激な負荷変動に伴う電源電圧変動により、かえって再開直後にノイズを発生させてしまうおそれがある。上記構成によれば、ノイズ発生予測期間にシフトレジスタを駆動させたままなので、そのような問題を引き起こすおそれがなく、画像ノイズの抑制効果を高めることができる。
【００１３】
また、前記複数の列信号線は、前記シフトレジスタから選択信号が伝達されることにより選択され、前記固体撮像装置は、さらに、前記ノイズ発生予測期間に前記複数の列信号線のいずれもが選択されないように前記シフトレジスタから選択信号が伝達されることを禁止する選択禁止手段を備えることとしてもよい。
この構成によれば、ノイズ発生予測期間には固体撮像装置からいかなる画素信号も読み出されない。したがって画素信号を読み出すための回路及び画像処理システムで消費される電力を低減させることができる。
【発明を実施するための最良の形態】
【００１４】
本発明を実施するための最良の形態を、図面を参照して詳細に説明する。
（実施の形態１）
図１は、本発明の実施の形態１に係る固体撮像装置の概略構成を示す図である。
固体撮像装置１０は、撮像部１１、負荷回路１２、行選択デコーダ１３、列選択デコーダ１４、信号処理部１５及び出力部１６を備える。
【００１５】
撮像部１１は、二次元配列された画素を有する。各画素は、フォトダイオードＰＤ、フローティングディフュージョンＦＤ、トランジスタＴｒ１、Ｔｒ２、Ｔｒ３を備える。トランジスタＴｒ１のゲートは行信号線１７ａに接続されており、トランジスタＴｒ２のゲートは行信号線１７ｂに接続されている。
本実施の形態では、主に列選択デコーダ１４の構成及び固体撮像装置１０の駆動方法に特徴を有する。これ以外については一般的な技術なので説明を省略する。
【００１６】
図２は、本発明の実施の形態１に係る画素信号の列順の読み出しの待機動作を示す図である。
図２の出力信号に表記された番号は列選択デコーダ１４により選択された列信号線の列番号を表している。本実施の形態では、列選択デコーダ１４は、順方向及び逆方向にシフト可能なシフトレジスタから構成されており、反転走査パルスがローレベルであればシフトレジスタを順方向にシフトさせ、反転走査パルスがハイレベルであればシフトレジスタを逆方向にシフトさせる。反転走査パルスは、原則、水平読出期間にローレベルになるように設計され、画素信号の品質に影響を及ぼすノイズの発生が予測されているノイズ発生予測期間の前半期間には例外的にハイレベルになり、ノイズ発生予測期間の後半期間にローレベルになるように設計されている。このように反転走査パルスを設計することにより、水平読出期間に画素信号の列順の読み出しを実施し、ノイズ発生予測期間に画素信号の列順の読み出しを待機させることができる。
【００１７】
図２では、電子シャッタパルスの立上りに起因して４番目の画素周期から５番目の画素周期にかけて画素信号にノイズが混入し、電子シャッタパルスの立下りに起因して９番目の画素周期から１０番目の画素周期にかけて画素信号にノイズが混入する例を示している。ここで画素周期とは１画素の画素信号を読み出すのに要する期間をいうものとする。そこで図２では４番目及び５番目の画素周期にそれぞれ２列目及び３列目の画素信号を再度読み出すことにより、４列目以降の画素信号の読み出しを待機させている。４列目以降の画素信号はノイズ発生予測期間経過後である６番目以降の画素周期に読み出される。同様に、９番目及び１０番目の画素周期にそれぞれ５列目及び６列目の画素信号を再度読み出すことにより、７列目以降の画素信号の読み出しを待機させている。７列目以降の画素信号はノイズ発生予測期間経過後である１１番目以降の画素周期に読み出される。
【００１８】
このように、画素信号の列順の読み出しは、水平読出期間のうちノイズ発生予測期間以外の期間に実施される。したがって撮像画面に画像ノイズが現れることを抑制することができる。
図３及び図４は、本発明の実施の形態１に係る列選択デコーダ１４の構成を示す図である。
【００１９】
列選択デコーダ１４は、各列に対応するフリップフロップを備え、Ｎ列のフリップフロップの入力端子（Ｄ）は、Ｎ列のセレクタを介してＮ−１列のフリップフロップの出力端子（Ｑ）及びＮ＋１列のフリップフロップの出力端子（Ｑ）に接続されている。またＮ列のフリップフロップの出力端子（Ａ）は、Ｎ列の選択信号線２０を介して信号処理部１５に接続されている。Ｎ列のセレクタは、反転走査パルスがローレベルのときにＮ−１列のフリップフロップの出力信号をＮ列のフリップフロップに入力させ、反転走査パルスがハイレベルのときにＮ＋１列のフリップフロップの出力信号をＮ列のフリップフロップに入力させる。各フリップフロップは、クロックパルス（ＣＫパルス）に同期して動作する。図５は、フリップフロップの出力端子（Ｑ）の出力信号と出力端子（Ａ）の出力信号との関係を示す。
【００２０】
図６は、本発明の実施の形態１に係る列選択デコーダ１４の動作を示す図である。
列選択デコーダ１４は、データ入力（ＨＩＮパルス）をトリガとしてシフト動作を開始する。図６に示すように、列選択デコーダ１４は、反転走査パルスがローレベルのときにシフトレジスタを順方向にシフトさせ、反転走査パルスがハイレベルのときにシフトレジスタを逆方向にシフトさせる。
【００２１】
図３乃至図６に示した列選択デコーダ１４の構成及び動作により、図２に示した画素信号の列順の読み出しの実施及び待機を実現することができる。
図７は、本発明の実施の形態１に係るカメラの構成を示す図である。
カメラ５０は、固体撮像装置１０、画像処理部５１、タイミング制御部５２及びレンズ等の光学系５３を備える。タイミング制御部５２は固体撮像装置１０及び画像処理部５１に含まれている各々の機能部に制御信号を供給する。本実施の形態では図２に示すように、ノイズ発生予測期間には既に読み出された画素信号が再度読み出される（現実には、画素信号は破壊読み出しにより読み出されるので、再度読み出されたときと最初に読み出されたときとで信号レベルが異なる、もしくは、信号処理部１５で複数の列信号線１８の選択回路直前に増幅回路を追加することで非破壊の読み出しも可能になる。）。画像処理部５１は、固体撮像装置１０から読み出された画素信号のうち、ノイズ発生予測期間に読み出された画素信号を破棄する。したがって、撮像画面に縦線状あるいは縦帯状の画像ノイズが生じることを抑制することができる。
【００２２】
図８は、本発明の実施の形態１に係る固体撮像装置が奏する効果を示す図である。
ここでは第Ｎ＋１行の画素に供給されるリセットパルス（ＲＳＴパルス）及び読み出しパルス（ＴＲＡＮＳパルス）が示されている。リセットパルスと読み出しパルスとを同時にハイレベルにして画素のトランジスタＴｒ１及びＴｒ２を同時にオン状態にすることにより、フォトダイオードＰＤの電位を電源電位にリセットすることができる（図８（ａ）符号６１参照）。これにより電子シャッタが実現される。またリセットパルスのみをハイレベルにしてトランジスタＴｒ２のみをオン状態にすることによりフローティングディフュージョンＦＤの電位を基準電位にリセットすることができる（図８（ａ）符号６２参照）。さらに読み出しパルスのみをハイレベルにしてトランジスタＴｒ１のみをオン状態にすることによりフローティングディフュージョンＦＤの電位をフォトダイオードＰＤにより生成された電荷に応じた信号電位にすることができる（図８（ａ）符号６３参照）。電子シャッタから読み出しまでの期間が蓄積期間（露光時間）になる。
【００２３】
本実施の形態では、水平読出期間に電子シャッタパルスを供給したとしても、撮像画面に画像ノイズが生じることを抑制することができる。そのため画素周期単位で露光時間の長さをきめ細かく設定することができる（図８（ｂ）符号６４参照）。また１水平信号期間未満の露光時間を実現することもできる（図８（ｃ）参照）。
（実施の形態２）
実施の形態２は、画素信号の列順の読み出しを実施の形態１とは異なる方式で待機させる。これ以外については実施の形態１と同様なので、説明を省略する。
【００２４】
図９は、本発明の実施の形態２に係る画素信号の列順の読み出しの待機動作を示す図である。
本実施の形態では、列選択デコーダ１４は、順方向シフト及びシフト停止可能なシフトレジスタから構成されており、ループ走査パルスがローレベルであればシフトレジスタを順方向にシフトさせ、ループ走査パルスがハイレベルであればシフトレジスタのシフトを停止させる。反転走査パルスは、原則、水平読出期間にローレベルになるように設計され、ノイズ発生予測期間に例外的にハイレベルになるように設計されている。このようにループ走査パルスを設計することにより、水平読出期間に画素信号の列順の読み出しを実施し、ノイズ発生予測期間に画素信号の列順の読み出しを待機させることができる。
【００２５】
図９では、電子シャッタパルスの立上りに起因して４番目の画素周期から５番目の画素周期にかけて画素信号にノイズが混入し、電子シャッタパルスの立下りに起因して９番目の画素周期から１０番目の画素周期にかけて画素信号にノイズが混入する例を示している。そこで図９では４番目及び５番目の画素周期に３列目の画素信号を読み出し続けることにより、４列目以降の画素信号の読み出しを待機させている。４列目以降の画素信号はノイズ発生予測期間経過後である６番目以降の画素周期に読み出される。同様に、９番目及び１０番目の画素周期に６列目の画素信号を読み出し続けることにより、７列目以降の画素信号の読み出しを待機させている。７列目以降の画素信号はノイズ発生予測期間経過後である１１番目以降の画素周期に読み出される。
【００２６】
このように、画素信号の列順の読み出しは、水平読出期間のうちノイズ発生予測期間以外の期間に実施される。したがって撮像画面に画像ノイズが現れることを抑制することができる。
図１０は、本発明の実施の形態２に係る列選択デコーダ１４の構成を示す図である。
列選択デコーダ１４は、各列に対応するフリップフロップを備え、Ｎ列のフリップフロップの入力端子（Ｄ）は、Ｎ列のセレクタを介してＮ−１列のフリップフロップの出力端子（Ｑ）及びＮ列のフリップフロップの出力端子（Ｑ）に接続されている。またＮ列のフリップフロップの出力端子（Ａ）は、Ｎ列の選択信号線２０を介して信号処理部１５に接続されている。Ｎ列のセレクタは、ループ走査パルスがローレベルのときにＮ−１列のフリップフロップの出力信号をＮ列のフリップフロップに入力させ、ループ走査パルスがハイレベルのときにＮ列のフリップフロップの出力信号をＮ列のフリップフロップに入力させる。
【００２７】
図１１は、本発明の実施の形態２に係る列選択デコーダ１４の動作を示す図である。
列選択デコーダ１４は、データ入力（ＨＩＮパルス）をトリガとしてシフト動作を開始する。図１１に示すように、列選択デコーダ１４は、ループ走査パルスがローレベルのときにシフトレジスタを順方向にシフトさせ、ループ走査パルスがハイレベルのときにシフトレジスタにシフトを停止させる。このような動作により、図９に示した画素信号の列順の読み出しの待機動作を実現することができる。
（実施の形態３）
実施の形態３は、ノイズ発生予測期間に画素信号の読み出しを禁止することが実施の形態１と異なる。これ以外については実施の形態１と同様なので、説明を省略する。
【００２８】
図１２は、本発明の実施の形態３に係る画素信号の列順の読み出しの待機動作を示す図である。
本実施の形態では、列選択デコーダ１４は、順方向及び逆方向にシフト可能なシフトレジスタと、シフトレジスタの出力信号又は強制不選択信号を信号処理部１５に供給する選択回路とを備えている。選択回路は出力禁止パルスがローレベルであればシフトレジスタの出力信号を信号処理部１５に供給し、出力禁止パルスがハイレベルであれば強制不選択信号を信号処理部１５に供給する。強制不選択信号とは、いずれの列信号線も選択させないための信号である。出力禁止パルスは、原則、水平読出期間にローレベルになるように設計され、ノイズ発生予測期間に例外的にハイレベルになるように設計されている。このように出力禁止パルスを設計することにより、水平読出期間に画素信号の列順の読み出しを実施し、ノイズ発生予測期間に画素信号の列順の読み出しを待機させるとともに不要な画素信号の読み出しを禁止することができる。ノイズ発生予測期間には不要な画素信号が読み出されないので、画素信号を読み出すための回路及び画像処理システムの消費電力を低減させることができる。
【００２９】
図１３は、本発明の実施の形態３に係る列選択デコーダ１４の構成を示す図である。
Ｎ列のフリップフロップの出力端子（Ａ）は、Ｎ列の選択信号線２０を介して信号処理部１５に接続されている。Ｎ列の選択信号線２０にはＮ列のＡＮＤ回路が挿設されている。Ｎ列のＡＮＤ回路は、出力禁止パルスがローレベルのときにＮ列のフリップフロップの出力信号に応じてハイレベル又はローレベルを信号処理部１５に供給し、出力禁止パルスがハイレベルのときにローレベルを信号処理部１５に供給する。このような構成により、出力禁止パルスがローレベルのとき、シフトレジスタの出力信号が信号処理部１５に供給され、出力禁止パルスがハイレベルのとき、強制不選択信号が信号処理部１５に供給される。これら以外の構成については実施の形態１と同様である。
【００３０】
図１４は、本発明の実施の形態３に係る列選択デコーダ１４の動作を示す図である。
列選択デコーダ１４は、データ入力（ＨＩＮパルス）をトリガとしてシフト動作を開始する。図１４に示すように、列選択デコーダ１４は、反転走査パルスがローレベルのときにシフトレジスタを順方向にシフトさせ、反転走査パルスがハイレベルのときにシフトレジスタを逆方向にシフトさせる。また列選択デコーダ１４は、出力禁止パルスがローレベルのときにシフトレジスタの出力信号を信号処理部１５に供給し、出力禁止パルスがハイレベルのときに強制不選択信号を信号処理部１５に供給する。
【００３１】
以上、本発明に係る固体撮像装置及びカメラについて、実施の形態に基づいて説明したが、本発明はこれらの実施の形態に限られない。例えば、以下のような変形例が考えられる。
（１）実施の形態では、ノイズ発生予測期間の長さを２画素周期として説明しているが、本発明はこれに限られない。ノイズ発生予測期間の長さは、ノイズ発生の原因や回路構成など、種々のパラメータにより異なるものと考えられる。したがって、ノイズ発生予測期間の長さに応じて反転走査パルスやループ走査パルスをハイレベルにする期間の長さを適宜設定することが望ましい（例えば、図１５及び図１６参照）。
（２）実施の形態では、画素の構成を具体的に示しているが、本発明はこれに限られない。例えば、図１７に示すように４つのトランジスタで構成することとしてもよいし、図１８に示すように１つのフローティングディフュージョンＦＤを２つのフォトダイオードＰＤで共用するように構成することとしてもよい。図１７の構成であれば、電源ＶＤＤを変調することもなく、トランジスタＴｒ４を制御することでラインセレクト（行選択）をすることができるので、固体撮像装置の駆動を単純化することができる。また図１８の構成であれば、フォトダイオードＰＤの数量の増加に伴い画素信号の数量が増加したとしても、画質の劣化を抑制することができる。
（３）実施の形態では、ノイズ発生予測期間にシフトレジスタを駆動させたまま画素信号の列順の読み出しを待機させているが、本発明はこれに限られない。例えば、シフトレジスタの駆動をノイズ発生予測期間に停止させノイズ発生予測期間経過後に再開させてもよい。しかしながら、図１９に示すように、シフトレジスタの駆動を停止して再開する場合、急激な負荷変動に伴う電源電圧変動により、かえって再開直後にノイズを発生させてしまうおそれがある。このようなおそれがある場合には、実施の形態に示したようにシフトレジスタを駆動させたまま画素信号の列順の読み出しを待機させるのが望ましい。
（４）実施の形態２の列選択デコーダ１４に、実施の形態３で説明した選択回路を適用することとしてもよい。
【産業上の利用可能性】
【００３２】
本発明は、例えばデジタルカメラに適用可能である。
【図面の簡単な説明】
【００３３】
【図１】本発明の実施の形態１に係る固体撮像装置の概略構成を示す図である。
【図２】本発明の実施の形態１に係る画素信号の列順の読み出しの待機動作を示す図である。
【図３】本発明の実施の形態１に係る列選択デコーダ１４の構成を示す図である。
【図４】本発明の実施の形態１に係る列選択デコーダ１４の構成を示す図である。
【図５】フリップフロップの出力端子（Ｑ）の出力信号と出力端子（Ａ）の出力信号との関係を示す。
【図６】本発明の実施の形態１に係る列選択デコーダ１４の動作を示す図である。
【図７】本発明の実施の形態１に係るカメラの構成を示す図である。
【図８】本発明の実施の形態１に係る固体撮像装置が奏する効果を示す図である。
【図９】本発明の実施の形態２に係る画素信号の列順の読み出しの待機動作を示す図である。
【図１０】本発明の実施の形態２に係る列選択デコーダ１４の構成を示す図である。
【図１１】本発明の実施の形態２に係る列選択デコーダ１４の動作を示す図である。
【図１２】本発明の実施の形態３に係る画素信号の列順の読み出しの待機動作を示す図である。
【図１３】本発明の実施の形態３に係る列選択デコーダ１４の構成を示す図である。
【図１４】本発明の実施の形態３に係る列選択デコーダ１４の動作を示す図である。
【図１５】実施の形態１から反転走査パルスをハイレベルにする期間の長さを変更したときの列選択デコーダ１４の動作を示す図である。
【図１６】実施の形態２からループ走査パルスをハイレベルにする期間の長さを変更したときの列選択デコーダ１４の動作を示す図である。
【図１７】画素構成の変形例を示す図である。
【図１８】画素構成の変形例を示す図である。
【図１９】画素信号の列順の読み出しの待機動作の変形例を示す図である。
【図２０】画像ノイズ及びその発生原因を説明する図である。
【符号の説明】
【００３４】
１０    固体撮像装置
１１    撮像部
１２    負荷回路
１３    行選択デコーダ
１４    列選択デコーダ
１５    信号処理部
１６    出力部
１７ａ、１７ｂ  行信号線
１８    列信号線
１９    水平信号線
２０    選択信号線
５０    カメラ
５１    画像処理部
５２    タイミング制御部
５３    光学系
【図１】
2008288688.tif 000003
【図２】
2008288688.tif 000004
【図３】
2008288688.tif 000005
【図４】
2008288688.tif 000006
【図５】
2008288688.tif 000007
【図６】
2008288688.tif 000008
【図７】
2008288688.tif 000009
【図８】
2008288688.tif 000010
【図９】
2008288688.tif 000011
【図１０】
2008288688.tif 000012
【図１１】
2008288688.tif 000013
【図１２】
2008288688.tif 000014
【図１３】
2008288688.tif 000015
【図１４】
2008288688.tif 000016
【図１５】
2008288688.tif 000017
【図１６】
2008288688.tif 000018
【図１７】
2008288688.tif 000019
【図１８】
2008288688.tif 000020
【図１９】
2008288688.tif 000021
【図２０】
2008288688.tif 000022